(57)【特許請求の範囲】
【請求項１】
それぞれの開口が反対側に向くように、それぞれ硬質の周囲壁で囲まれた第１の製氷小室と第２の製氷小室が、変形し易い底壁を境に上下に対称的に形成され、前記製氷小室のうちの下側に位置する製氷小室に氷が存在する状態において、上側に位置する製氷小室内に供給された製氷用水の凍結によって氷が生成されるとき前記底壁が下側に位置する第２の製氷小室の氷を押し出すように変形することにより、前記下側に位置する製氷小室から氷を離脱する関係にあり、この離脱に基づき生じる重力バランスによって前記一方の製氷小室が下側となり前記他方の製氷小室が上側となるように、前記第１の製氷小室と第２の製氷小室が交互に上側に位置するように回転する構成であることを特徴とする製氷皿。
【請求項２】
それぞれの開口が反対側に向くように、それぞれ硬質の周囲壁で囲まれた第１の製氷小室と第２の製氷小室が、底壁を境に対称的に形成され、前記底壁は、第１の製氷小室側の変形し易い第１底壁と、第２の製氷小室側の変形し易い第２底壁との間に、所定の冷凍温度以下で凝固状態となって体積膨張する低凝固点物質が充填される充填室が形成され、前記製氷小室のうちの下側に位置する製氷小室に氷が存在する状態において、上側に位置する製氷小室内に供給された製氷用水の凍結によって氷が生成されるとき前記低凝固点物質の体積膨張によって前記下側に位置する製氷小室の底壁が下側に位置する製氷小室の氷を押し出すように変形することにより、前記下側に位置する製氷小室から氷を離脱する関係にあり、この離脱に基づき生じる重力バランスによって前記一方の製氷小室が下側となり前記他方の製氷小室が上側となるように、前記第１の製氷小室と第２の製氷小室が交互に上側に位置するように回転する構成であることを特徴とする製氷皿。
【請求項３】
前記第１の製氷小室と第２の製氷小室のいずれか一方の製氷小室が下側となり他方の製氷小室が上側となるよう錘となるダミー部材が嵌め込み保持された製氷小室が下側となり他方の製氷小室が上側となる状態において、上側に位置する製氷小室内に供給された製氷用水の凍結によって下側に位置する製氷小室のダミー部材を押し出す関係を備えたことを特徴とする請求項１又は２に記載された製氷皿。
【発明の詳細な説明】
【技術分野】
【０００１】
本発明は、製氷皿に捻り力等を加えなくても離氷可能な製氷皿、及びこの製氷皿を備えた自動製氷機付き冷蔵庫に関する。
【背景技術】
【０００２】
製氷皿に捻り力等を加えなくても、離氷可能な製氷皿を提供することを目的としたものとして、製氷皿は、上面開口の複数の製氷小室が形成された合成樹脂成形体で形成され、各製氷小室の底壁は外側壁に比して変形し易い内側壁にて構成されていて、内側壁と外側壁との間には、製氷用水の温度によって液状になり所定の冷凍温度以下で凝固状態となって体積膨張する低凝固点物質が充填された充填室が形成され、体積膨張に伴う内側壁の変形にて製氷完了時の氷摩擦係数が小さく圧力変化に対し容易に変形可能な材質により形成された内枠部と、変形しにくい材質で形成された外枠部と、この内枠部と外枠部との間に形成された内部に低凝固点物質が充填された充填部とから構成され、この製氷皿を備えた自動製氷装置付き冷蔵庫がある（例えば、特許文献１参照）。
【０００３】
特許文献１のものは、製氷用水が製氷皿へ注入されたときは、その製氷用水の温度によって製氷皿の温度が上昇する。このため、低凝固点物質は、このときの製氷用水の温度によって液状になり、内側壁は外側壁に略平行な状態である。製氷工程において製氷皿が製氷室の温度によって氷点下に冷却されることにより、各製氷小室内の製氷用水が凍結し、各製氷小室の形状に沿った所定の硬さの氷が生成される。製氷皿の温度がこの所定の硬さの氷が生成された時の温度よりも更に低い冷凍温度になった時、低凝固点物質が凝固状態となるように低凝固点物質の凝固温度を設定してあり、この凝固状態になると液状の時に比して体積膨張する。この体積膨張に伴って内側壁が製氷小室側へ膨出するように変形し、この変形によって製氷完了時の氷は、製氷皿から剥離されるように持ち上げられる。そして、電動機構によって製氷皿を略１８０°反転し捻りを与えることによって、この製氷皿から剥離された氷を下方の貯氷容器へ落下せしめるものである。
【特許文献１】特開２００５−１１４１９８号公報
【発明の開示】
【発明が解決しようとする課題】
【０００４】
この特許文献１の発明では、低凝固点物質の体積膨張によって、製氷小室から氷を浮き上がらせるため、製氷皿を反転し捻り力を加えなくても、製氷小室から離氷可能となるが、製氷皿の下方の貯氷容器へ氷を落下せしめるためには、製氷皿を反転するための電動機構が必要となる。この点に鑑み、本発明は、製氷皿を反転し捻り力を加えなくても製氷小室から離氷可能であり、且つ、製氷皿を反転するための電動機構を必要とせずに、下方の貯氷容器へ氷を落下せしめることができる技術を提供する。
【課題を解決するための手段】
【０００５】
第１の発明の製氷皿は、それぞれの開口が反対側に向くように、それぞれ硬質の周囲壁で囲まれた第１の製氷小室と第２の製氷小室が、変形し易い底壁を境に上下に対称的に形成され、前記製氷小室のうちの下側に位置する製氷小室に氷が存在する状態において、上側に位置する製氷小室内に供給された製氷用水の凍結によって氷が生成されるとき前記底壁が下側に位置する第２の製氷小室の氷を押し出すように変形することにより、前記下側に位置する製氷小室から氷を離脱する関係にあり、この離脱に基づき生じる重力バランスによって前記一方の製氷小室が下側となり前記他方の製氷小室が上側となるように、前記第１の製氷小室と第２の製氷小室が交互に上側に位置するように回転する構成であることを特徴とする。
【０００６】
第２の発明の製氷皿は、それぞれの開口が反対側に向くように、それぞれ硬質の周囲壁で囲まれた第１の製氷小室と第２の製氷小室が、底壁を境に対称的に形成され、前記底壁は、第１の製氷小室側の変形し易い第１底壁と、第２の製氷小室側の変形し易い第２底壁との間に、所定の冷凍温度以下で凝固状態となって体積膨張する低凝固点物質が充填される充填室が形成され、前記製氷小室のうちの下側に位置する製氷小室に氷が存在する状態において、上側に位置する製氷小室内に供給された製氷用水の凍結によって氷が生成されるとき前記低凝固点物質の体積膨張によって前記下側に位置する製氷小室の底壁が下側に位置する製氷小室の氷を押し出すように変形することにより、前記下側に位置する製氷小室から氷を離脱する関係にあり、この離脱に基づき生じる重力バランスによって前記一方の製氷小室が下側となり前記他方の製氷小室が上側となるように、前記第１の製氷小室と第２の製氷小室が交互に上側に位置するように回転する構成であることを特徴とする。
【０００７】
第３の発明の製氷皿は、第１の発明または第２の発明において、前記第１の製氷小室と第２の製氷小室のいずれか一方の製氷小室が下側となり他方の製氷小室が上側となるよう錘となるダミー部材が嵌め込み保持された製氷小室が下側となり他方の製氷小室が上側となる状態において、上側に位置する製氷小室内に供給された製氷用水の凍結によって下側に位置する製氷小室のダミー部材を押し出す関係を備えたことを特徴とする。
【発明の効果】
【０００８】
第１の発明は、上側に位置する第１の製氷小室内の製氷用水の凍結によって、底壁が下側に位置する第２の製氷小室の氷を押し出すように変形して、第２の製氷小室から氷が離脱すると、第１の製氷小室内にある氷の荷重によって、製氷皿の重心が上方に移動して不安定になり、第１の製氷小室が下側となり第２の製氷小室が上側となるように回転する。この状態で上側となった第２の製氷小室に製氷用水が供給され、この水の凍結が始まる。この水の凍結によって、上記同様に下側に位置する第１の製氷小室の氷を押し出すように底壁が変形して、第１の製氷小室から氷が離脱する。このようにして、第１の製氷小室と第２の製氷小室が交互に上側に位置するように回転して、氷が製造されるため、製氷皿を反転し捻り力を加えなくても製氷小室から離氷可能であり、且つ、製氷皿を反転するための電動機構を必要とせずに、下方の貯氷容器へ氷を落下せしめることができるものとなる。
【０００９】
第２の発明は、上側に位置する第１の製氷小室内の製氷用水の凍結によって、低凝固点物質が体積膨張して、第２底壁の変形によって下側に位置する第２の製氷小室の氷が押し出される。これによって、第１の製氷小室内にある氷の荷重によって、製氷皿の重心が上方に移動して不安定になり、第１の製氷小室が下側となり第２の製氷小室が上側となるように回転する。この状態で上側となった第２の製氷小室に製氷用水が供給され、この水の凍結が始まる。この水の凍結によって、低凝固点物質が体積膨張して、第１底壁の変形によって下側に位置する第１の製氷小室の氷が押し出される。このようにして、第１の製氷小室と第２の製氷小室が交互に上側に位置するように回転して、氷が製造されるため、製氷皿を反転し捻り力を加えなくても製氷小室から離氷可能であり、且つ、製氷皿を反転するための電動機構を必要とせずに、下方の貯氷容器へ氷を落下せしめることができるものとなる。
【００１０】
第３の発明は、第１又は第２発明の製氷皿において、製氷動作時には、ダミー部材の嵌め込みによって、そのダミー部材のある製氷小室が下側となり他方の製氷小室が上側となる状態となり、上側の製氷小室へ給水し、上側の製氷小室の凍結によってダミー部材が落下し、その後は上側の製氷小室へ給水して凍結し下側の製氷小室の氷を押し出す作用が繰り返されるため、製氷皿を反転するための電動機構を備えないため、部品が少なく配線が必要なく、小型の製氷装置となる。
【発明を実施するための最良の形態】
【００１１】
本発明の製氷皿は、それぞれの開口が反対側に向くように、それぞれ硬質の周囲壁で囲まれた第１の製氷小室と第２の製氷小室が、変形し易い底壁を境に上下に対称的に形成され、前記製氷小室のうちの下側に位置する製氷小室に氷が存在する状態において、上側に位置する製氷小室内に供給された製氷用水の凍結によって氷が生成されるとき前記底壁が下側に位置する第２の製氷小室の氷を押し出すように変形することにより、前記下側に位置する製氷小室から氷を離脱する関係にあり、この離脱に基づき生じる重力バランスによって前記一方の製氷小室が下側となり前記他方の製氷小室が上側となるように、前記第１の製氷小室と第２の製氷小室が交互に上側に位置するように回転する構成であり、本発明の実施例を以下に記載する。
【実施例１】
【００１２】
次に、本発明の実施の形態について説明する。図１は本発明冷蔵庫の正面図、図２は本発明の冷蔵庫本体の正面図、図３は本発明の給水容器から製氷部分への給水状態説明図、図４は製氷皿の斜視図、図５は製氷皿に給水したときの縦断図、図６は製氷皿からダミーの錘が離脱する状態の縦断図、図７は反転した製氷皿の下側の製氷小室の氷が押し出される状態の説明図である。
【００１３】
本発明を図に基づき説明する。１は冷蔵庫であり、前面開口の本体２内を区画して複数の貯蔵室を形成し、これら各貯蔵室の前面は扉で開閉できる構成である。冷蔵庫本体２は、外箱（外壁板）と内箱（内壁板）との間に発泡断熱材を充填した断熱構造である。冷蔵庫本体２内には、上から冷蔵室３、野菜室４、上冷凍室５と製氷室７、下冷凍室６が区画されて設けられ、冷蔵室３内の底部にはその上方の冷蔵室３と区画板（区画壁）８にて区画された特定低温室９が設けられている。上冷凍室５は冷気量調節装置を手動操作して冷蔵室とすることもできるので、切り替え室と称することもできる。このように冷蔵庫１は、冷蔵室３、野菜室４、及び特定低温室９が冷蔵温度室を構成し、上冷凍室５、製氷室７、及び下冷凍室６が冷凍温度室を構成する。
【００１４】
冷蔵室３の前面開口は、冷蔵庫本体２の一側部にヒンジ装置にて横方向に回動して開閉される回動式扉１０にて閉塞される。野菜室４の前面開口は、野菜室４内に設けた左右のレール又はローラ装置によって前後方向へ引き出し可能に支持した野菜容器１５と共に前方へ引き出される引き出し式扉１１にて閉塞されている。上冷凍室５と下冷凍室６はそれぞれ野菜室４と同様に、冷凍室内に設けた左右のレールに対してそれぞれ前後方向へ引き出し可能に支持した容器１６、１７と共に前方へ引き出される引き出し式扉１２、１３にて閉塞されている。
【００１５】
製氷室７内は、上部に製氷部１８を設けその下部に貯氷容器１９を配置している。貯氷容器１９は、野菜室４と同様に、製氷室７内の左右壁に設けた左右のレールに対してそれぞれ前後方向へ引き出し可能に支持されており、製氷室７の前面開口を開閉する引き出し式扉１４と共に前方へ引き出される仕組みである。２０は製氷部１８へ供給する製氷用水を貯める給水容器であり、冷蔵室３内において特定低温室９の横に形成した小室に配置されており、冷蔵室３の前面扉１０を開いて前方へ取り出し自在である。製氷用水は給水容器２０からポンプ２１によって吸い上げられて給水パイプ２２を介して製氷部１８の製氷皿２３へ供給される。
【００１６】
冷蔵庫１は、圧縮機で圧縮した冷媒を凝縮器で凝縮した後、膨張弁又はキャピラリチューブを通して減圧し、蒸発器（冷却器）で蒸発させて圧縮機へ帰還せしめ、再び圧縮機で圧縮して同じ循環を繰り返す冷凍システムを備えている。この冷凍システムの蒸発器（冷却器）で冷却した空気を冷蔵室３、野菜室４、上冷凍室５、下冷凍室６、製氷室７、特定低温室９へ送風機で循環して、各室を所定温度に冷却する。その一つの方法として、前記蒸発器（冷却器）と送風機の一対を２基設け、その一つが冷蔵室３、野菜室４、特定低温室９を冷却する冷蔵用冷気供給装置を構成し、もう一つが、上冷凍室５、下冷凍室６、製氷室７を冷却する冷凍用冷気供給装置を構成するものである。
【００１７】
前記圧縮機と前記冷凍用冷気供給装置の送風機の運転は、制御回路装置（図示せず）によって、前記冷凍温度室の一つである冷凍室６の温度を直接又は間接的に感知する冷凍温度センサの温度感知に基づきＯＮ／ＯＦＦ制御される。また、冷蔵室３、野菜室４及び特定低温室９の温度は、前記制御回路装置（図示せず）によって、前記冷蔵用冷気供給装置の送風機によって冷蔵室３へ循環する冷気を冷気調節装置よって制御することによって所定の温度に維持される。このような制御によって、各室の温度は、冷蔵室３が約３〜５℃、野菜室４が約３〜５℃、上冷凍室５と下冷凍室６が約−１８℃〜−２０℃である。特定低温室９は、０℃よりも高い約１℃のチルド室であったり、０℃よりも低く食品の凍結温度よりも高い約−１℃℃〜−２℃の氷温室であったり、また、食品の表面に薄い氷の層が形成される程度の約−４℃の部分凍結室であったりする。製氷室７は冷凍室６と同様に低い冷凍温度に保たれる冷凍温度室であり、通常、約−１８℃〜−２０℃に保たれている。
【００１８】
給水容器２０は、冷蔵庫１内に取り出し自在に収納されて、製氷室７内の製氷部分である製氷部１８へ給水される水を溜める。この給水容器２０は、所定の高さで前後方向に細長い容器を形成し長方形状の上面開口を備えたタンク本体３０と、タンク本体３０の上面開口を覆うカバー３３とよりなり、カバー３３は、その前部に下方に窪ませて注水口３９が形成され、この注水口３９を開閉するように注水口蓋４０が軸４１を中心に開閉できる。４２はポンプ２１の吸込み口に接続された連結管であり、カバー３３からタンク本体３０に深く垂下した吸水管４３によって吸い上げられる水をポンプ２１へ導く。４４は注水口３９から注入された水を、底部に取り付けた活性炭フィルタ４５を通してタンク本体３０内へ導くフィルタケースで、カバー３３に着脱可能に取り付けられている。この状態で注水口蓋４０を開いて注水口３９からタンク本体３０内へ注水できる。
【００１９】
製氷部１８は、製氷皿２３が製氷室７内においてフレーム装置５１によって回転自在に取り付けられている。製氷皿２３は、合成樹脂成形体であり、それぞれ硬質の周囲壁２５で囲まれた第１の製氷小室２３Ａと第２の製氷小室２３Ｂが、変形し易い軟質の底壁２４を境に上下対称的に形成され、その周囲壁２５の内面が開口に向けて広がる形状である。そして、第１の製氷小室２３Ａと第２の製氷小室２３Ｂの複数が、それぞれ長手方向へ一列に配列され、第１の製氷小室２３Ａと第２の製氷小室２３Ｂの上下の中心部、即ち上下の重心部において、その長手方向の両側には長手方向に延びた軸２６が突出し、この軸２６によって製氷皿２３がフレーム装置５１に回転自在に支持されている。
【００２０】
製氷動作時には、先ず第１の製氷小室２３Ａと第２の製氷小室２３Ｂのいずれか一方が上側になり、他方が下側になるように、略垂直状態を保つようにセットされる。いま第１の製氷小室２３Ａが上側になり、第２の製氷小室２３Ｂが下側になるようにセットされる場合について説明する。このセットの一つの方法としては、図５に示すように、下側の第２の製氷小室２３Ｂには錘となるダミー部材２７が保持されるように嵌め込まれることにより、第２の製氷小室２３Ｂが下側になって、第１の製氷小室２３Ａと第２の製氷小室２３Ｂが、略鉛直状態を保つことができる。
【００２１】
この状態で、製氷開始スイッチ（図示せず）を作動させることにより、前記制御回路装置（図示せず）によって、ポンプ２１が始動し、製氷用水は給水容器２０からポンプ２１によって吸い上げられて、給水パイプ２２を介して、製氷部１８の製氷皿２３の上側に位置する第１の製氷小室２３Ａへ供給される。製氷用水は、複数の第１の製氷小室２３Ａの一つへ供給することにより、各製氷小室２３Ａ間の壁に形成した連通路２８を通って、順次隣の製氷小室２３Ａへ流入する。第２の製氷小室２３Ｂについても同様の構成である。製氷用水の供給量は、予め設定した時間制御によってポンプ２１を作動させ、所定量の製氷用水が第１の製氷小室２３Ａへ入る。
【００２２】
上記のように、製氷室７は冷凍室６と同様に約−１８℃〜−２０℃に保たれているため、製氷室７内の製氷皿２３はこの温度で冷却されている。この状態で、上記のように、上側に位置する第１の製氷小室２３Ａへ製氷用水が供給されると、製氷小室２３Ａの温度が上昇して略０℃となるが、供給された製氷用水の凍結によって、製氷皿２３Ａの温度は製氷室７の温度によって急速に低下する。即ち、製氷小室２３Ａの製氷用水は、その上面から凍結が始まり、徐々に下方が凍結する。この凍結によって氷６２が生成され、この氷６２の生成に伴う体積膨張によって、図６に示すように、底壁２４が下方へ膨らむように変形するため、この変形によって、下側の第２の製氷小室２３Ｂに嵌め込まれたダミー部材２７が押し出されて下方の貯氷容器１９へ入る。なお、氷６２の生成に伴う体積膨張によって、製氷小室２３Ａの周囲壁２５が外側へ若干膨らみ、それに伴って下側の第２の製氷小室２３Ｂの周囲壁２５が内側へ若干縮むことによって、ダミー部材２７と第２の製氷小室２３Ｂの周囲壁２５との張り付きが剥離され易くなり、底壁２４が下方へ膨らむことによるダミー部材２７の押し出しが促進される。ダミー部材２７は食品衛生上問題ない材料で構成されているため、次回使用するときに取り出せばよい。
【００２３】
このように、ダミー部材２７が第２の製氷小室２３Ｂから押し出されることによって、第１の製氷小室２３Ａの氷の荷重によって製氷皿２３の重心が上がるため、製氷皿２３は軸２６を中心として回転して、第２の製氷小室２３Ｂが上側となり、第１の製氷小室２３Ａが下側となって静止する。この状態をセンサ（図示せず）で検知し前記制御回路装置（図示せず）によってポンプ２１を作動させ、予め設定した時間制御によって所定量の製氷用水が、上側となった第２の製氷小室２３Ｂへ供給される。そして、上記同様に第２の製氷小室２３Ｂの製氷用水が凍結して氷６２が生成されると、図７に示すように、製氷小室２３Ｂの周囲壁２５の外側への若干の膨らみと、底壁２４の下方への膨らみによって、下側の第１の製氷小室２３Ａの氷６２が剥離して、下方の貯氷容器１９へ入る。これに伴って、第２の製氷小室２３Ｂの氷６２の荷重によって製氷皿２３の重心が上がるため、製氷皿２３は軸２６を中心として回転して、第２の製氷小室２３Ｂが下側となり、第１の製氷小室２３Ａが上側となって静止する。
【００２４】
以後、同様の動作を繰り返して、貯氷容器１９へ氷６２が貯えられる。貯氷容器１９の氷の量は、貯氷容器１９全体の荷重を量る計量装置等によって、所定量の氷が貯まった段階で、前記制御回路装置（図示せず）によってポンプ２１が作動しないように制御する。また、貯氷容器１９の氷の量が減少したときには、計量装置等からの信号によって、前記制御回路装置（図示せず）が動作して、前記製氷開始スイッチ（図示せず）の作動によって、ポンプ２１が作動可能状態とする。また、貯氷容器１９が製氷室７から引き出されたときは、その状態を検知スイッチ（図示せず）で検知して、前記制御回路装置（図示せず）によってポンプ２１が作動しないように制御する。
【実施例２】
【００２５】
図８及び図９には、軸２６に個々の製氷皿２３が回転自在に支持した形態を示している。図１乃至図７と同一機能部分は同一符合で示している。これにおいて、各製氷皿２３への製氷用水の給水は、給水パイプ２２が各製氷皿２３へ分岐して、各製氷皿２３へ均等に供給されるようにする。各製氷皿２３における製氷動作は上記と同様であるが、各製氷皿２３のダミー部材２７の落下と氷６２の落下を適切なセンサによって検知したとき、前記制御回路装置（図示せず）によってポンプ２１が作動して、給水するように制御すればよい。
【実施例３】
【００２６】
図１０及び図１１には、上側となった製氷小室に氷６２が生成されたとき、下側となった製氷小室のダミー部材２７の落下と氷６２の落下を行うための技術として、底壁２４が第１の製氷小室２３Ａ側の変形し易い第１底壁２４Ａと、第２の製氷小室２３Ｂ側の変形し易い第２底壁２４Ｂとの間に、低凝固点物質５０の充填室２９が形成されている。図１乃至図７と同一機能部分は同一符合で示している。低凝固点物質５０は、所定の冷凍温度（例えば、−８℃）以下で凝固状態となって体積膨張する物質であり、上側に位置する第１の製氷小室２３Ａ内の製氷用水が凍結したとき、図１１に示すように、低凝固点物質５０の体積膨張によって第２底壁２４Ｂが第２の製氷小室２３Ｂ内の氷を剥離するように変形する関係にあり、実施例１同様に、この離脱に基づき生じる重力バランスによって第１の製氷小室２３Ａが下側となり第２の製氷小室２３Ｂが上側となるように、第１の製氷小室２３Ａと第２の製氷小室２３Ｂが交互に上側に位置するように回転する構成である。この図１０及び図１１に係る技術は、図４に示す製氷皿２３と図８に示す製氷皿２３のいずれにも適用できる。
【実施例４】
【００２７】
図１２には、図１０及び図１１に係る技術において、底壁２４の中央部を軸２６が貫通する場合において、軸２６の貫通部分の左右両側に低凝固点物質５０の充填室２９が形成された形態である。この場合も、図１０及び図１１の場合と同様に、点線で示すように、低凝固点物質５０の体積膨張によって第２底壁２４Ｂが、下側に位置する第２の製氷小室２３Ｂ内の氷６２を剥離するように変形する関係にあり、同様にして、第１の製氷小室２３Ａが下側に位置する場合は、低凝固点物質５０の体積膨張によって、第１底壁２４Ａが第１の製氷小室２３Ａ内の氷を剥離するように変形する関係にある。図１０及び図１１と同一機能部分は同一符合で示している。
【実施例５】
【００２８】
図１３には、図１乃至図７に係る技術において、底壁２４の中央部を軸２６が貫通する場合に、軸２６の貫通部分の左右両側が支柱２４Ｃによって支えられた構成を示しており、これにおける第１の製氷小室２３Ａ及び第２の製氷小室２３Ｂの氷の離脱作用は、実施例で記載したことと同様である。
【産業上の利用可能性】
【００２９】
本発明は、上記の製氷皿を備えた冷蔵庫として適用できるが、冷蔵室、冷凍室、製氷室等の配置関係等は上記形態に限定されず、本発明の技術的範囲を逸脱しない限り種々の冷蔵庫の形態に適用できるものである。
【図面の簡単な説明】
【００３０】
【図１】本発明冷蔵庫の正面図である。（実施例１）
【図２】本発明の冷蔵庫本体の正面図である。（実施例１）
【図３】本発明の給水容器から製氷部分への給水状態説明図である。（実施例１）
【図４】本発明の製氷皿の斜視図である。（実施例１）
【図５】本発明の製氷皿に給水したときの縦断図である。（実施例１）
【図６】本発明の製氷皿からダミーの錘が離脱する状態の縦断図である。（実施例１）
【図７】本発明の反転した製氷皿の下側の製氷小室の氷が押し出される状態の説明図である。（実施例１）
【図８】本発明の製氷皿の他の形態を示す斜視図である。（実施例２）
【図９】図８の製氷皿の縦断側面図である。（実施例２）
【図１０】本発明の製氷皿の底壁に低凝固点物質を充填した縦断図である。（実施例３）
【図１１】図１０の製氷皿から離氷する状態の縦断図である。（実施例３）
【図１２】本発明の製氷皿の低凝固点物質を充填した底壁の中央部を軸が貫通する状態の縦断図である。（実施例４）
【図１３】本発明の製氷皿の底壁の中央部を軸が貫通する状態の縦断図である。（実施例５）
【符号の説明】
【００３１】
１・・・冷蔵庫
２・・・冷蔵庫本体
３・・・冷蔵室
４・・・野菜室
５・・・冷凍室
６・・・冷凍室
７・・・製氷室
１８・・・製氷部
２０・・・給水容器
２３・・・製氷皿
２３Ａ・・第１製氷小室
２３Ｂ・・第２製氷小室
２４・・・底壁
２４Ａ・・第１底壁
２４Ｂ・・第２底壁
２５・・・周囲壁
２６・・・軸
２７・・・ダミー部材（錘）
２９・・・充填室
５０・・・低凝固点物質
６２・・・氷
【図１】
0004443489.tif 000002
【図２】
0004443489.tif 000003
【図３】
0004443489.tif 000004
【図４】
0004443489.tif 000005
【図５】
0004443489.tif 000006
【図６】
0004443489.tif 000007
【図７】
0004443489.tif 000008
【図８】
0004443489.tif 000009
【図９】
0004443489.tif 000010
【図１０】
0004443489.tif 000011
【図１１】
0004443489.tif 000012
【図１２】
0004443489.tif 000013
【図１３】
0004443489.tif 000014